(57)【要約】【課題】布帛の透湿性を簡易的に評価する方法を提供する。【解決手段】ミスト発生装置から発生したミストを布帛の表面に噴霧し、該ミストの該布帛への透過性を測定することにより、布帛の透湿性を評価する。【選択図】図１
2012102440.tif 000002
【特許請求の範囲】
【請求項１】
布帛の透湿性を評価する方法であって、ミスト発生装置から発生したミストを布帛の表面に噴霧し、該ミストの該布帛への透過性を測定することにより布帛の透湿性を評価することを特徴とする布帛の透湿性を評価する方法。
【請求項２】
床面に対して水平に設置した布帛の下方から、布帛の表面にミストを噴霧する、請求項１に記載の布帛の透湿性を評価する方法。
【請求項３】
ミスト発生装置から発生したミストをミスト貯留箱に貯留させた後、ミストを布帛の表面に噴霧する、請求項１または請求項２に記載の布帛の透湿性を評価する方法。
【請求項４】
複数のミスト噴霧孔からミストを噴霧する、請求項１〜３のいずれかに記載の布帛の透湿性を評価する方法。
【発明の詳細な説明】
【技術分野】
【０００１】
本発明は、布帛の透湿性を簡易的に評価する方法に関するものである。
【背景技術】
【０００２】
近年、クールビズやウォームビズなどの積極的な展開に伴い、快適性をうたった多くの機能布帛が開発されている。例えば、多量の発汗による蒸れが発生する夏季衣服用では、布帛の透湿性向上や肌との接触面積低下によるベトツキ感の低減など種々の工夫が行われている。そして、これらの開発に伴い、機能性布帛の機能を評価する方法が求められている。
布帛や衣服の機能を評価する方法としては、例えば、特許文献１により提案されているが、かかる方法は高度な機器を必要とするものであった。
【先行技術文献】
【特許文献】
【０００３】
【特許文献１】特開２００５−９７７９７号公報
【発明の概要】
【発明が解決しようとする課題】
【０００４】
本発明は上記の背景に鑑みなされたものであり、その目的は、布帛の透湿性を簡易的に評価する方法を提供することにある。
【課題を解決するための手段】
【０００５】
本発明者は上記の課題を達成するため鋭意検討した結果、ミスト発生装置から発生したミストを布帛の表面に噴霧し、該ミストの該布帛への透過性を測定することにより、布帛の透湿性を簡易的に評価することができることを見出し、さらに鋭意検討を重ねることにより本発明を完成するに至った。
【０００６】
かくして、本発明によれば「布帛の透湿性を評価する方法であって、ミスト発生装置から発生したミストを布帛の表面に噴霧し、該ミストの該布帛への透過性を測定することにより布帛の透湿性を評価することを特徴とする布帛の透湿性を評価する方法。」が提供される。
【０００７】
その際、床面に対して水平に設置した布帛の下方から、布帛の表面にミストを噴霧することが好ましい。また、ミスト発生装置から発生したミストをミスト貯留箱に貯留させた後、ミストを布帛の表面に噴霧することが好ましい。また、複数のミスト噴霧孔からミストを噴霧することが好ましい。
【発明の効果】
【０００８】
本発明によれば、布帛の透湿性を簡易的に評価する方法が得られる。また、かかる方法により、布帛表面における対流換気性も評価することができるので、布帛を被服にした際の布帛の適正配置や、パターンの適正化などが可能となり、より快適性に優れた被服の製造が容易になる。
【図面の簡単な説明】
【０００９】
【図１】本発明において用いることのできる、布帛の透湿性を評価する装置を模式的に示す図（布帛は図示せず。）である。
【図２】本発明において用いることのできる、布帛の透湿性を評価する装置の断面図である。
【発明を実施するための形態】
【００１０】
以下、本発明の実施の形態について詳細に説明する。
本発明において、ミスト発生装置から発生したミストを試験布帛(以下、単に「布帛」という。)の表面に噴霧し、該ミストの布帛への透過性により布帛の透湿性を評価する。
前記ミスト発生装置としては市販の加湿器やミスト発生装置でよく、例えば、超音波アロマディフューザー（商品名、無印良品製、商品番号８３５９４００）などが例示される。
【００１１】
また、ミスト発生装置から発生したミストを布帛の表面に噴霧する際、布帛の表面に均一に噴霧する上で、床面に対して布帛を水平に設置し、該布帛の下方から、布帛の表面（下方側表面）にミストを噴霧することが好ましい。
【００１２】
また、ミスト発生装置から発生したミストを直接布帛の表面に噴霧してもよいが、通常、ミスト発生装置から発生したミストは噴霧圧が高すぎるため、ミストの噴霧圧を下げ、また、噴霧面積を大きくするため、ミスト発生装置から発生したミストをミスト貯留箱（単に「貯留箱」ということもある。）に貯留させた後に、ミスト噴霧孔からミストを布帛の表面に噴霧することが好ましい。
【００１３】
本発明において用いる装置としては、図１および図２に模式的に示すように、ミスト噴霧孔３を有する貯留箱１を、ミスト発生装置２に連結させたものが好ましい。
ここで、貯留箱１の構成材料としては、貯留箱１の内部を外からみることができるように、透明アクリル板を用いることが好ましい。
また、貯留箱１の内部のミスト圧を測定するために、貯留箱１に圧力計または圧力センサーを取り付けてもよい。
【００１４】
布帛４は図２に示すように（図１では布帛を図示せず。）、ミスト噴霧孔３を覆うように貯留箱１の上側表面の上に置かれている。
その際、両面テープや接着剤により、布帛４を貯留箱１の上側表面の上に固定してもよいが、貯留箱１によりミストの噴霧圧が下げられており、布帛４が吹き飛ばされることがないので、布帛４を固定しないことが好ましい。
【００１５】
また、前記ミスト噴霧孔３の孔数は、噴霧面積を大きくする上で単数より複数（好ましくは、５〜２０孔）であることが好ましい。
また、前記ミスト噴霧孔３の孔径および形状としては、孔径０．５〜５ｍｍ（より好ましくは１〜３ｍｍ）、丸形状が好ましい。
【００１６】
また、２枚の布帛を比較評価するために、図１に示すように、所定の間隔をあけて左右で同等の噴霧ができるよう、複数のミスト噴霧孔（図１では布帛１枚あたりのミスト噴霧孔数は９孔）を穿孔してもよい。
【００１７】
本発明の方法において、ミスト発生装置から発生したミストを布帛の表面に噴霧させ、ミストが布帛を透過するかどうか（透湿性）を目視により測定してもよいし、布帛の上に感湿紙や感湿センサーなどを取り付けてこれらでミストの透過性（透湿性）を測定してもよい。さらには、ビデオなどを用いて撮影し画像解析することによりミストの透過性（透湿性）を測定してもよい。
【００１８】
また、本発明の方法によれば、布帛の厚さ方向の透湿性だけでなく、布帛表面に凹凸がある場合の布帛表面における対流換気性なども簡易的に評価することが可能である。例えば、布帛として特開２００６−１１２００９号公報に記載されたような、湿潤時（発汗時）に布帛表面に凹凸が発現する布帛を用いると、ミストにより発現した布帛表面の凹凸により、布帛表面における対流換気性がどのように変化するか簡易的に評価することができる。そして、このように、布帛の透湿性等を簡易的に評価することにより、布帛を被服にした際の布帛の適正配置や、パターンの適正化などが可能となり、より快適性に優れた被服の製造が容易になる。
【実施例】
【００１９】
以下、実施例をあげて本発明を詳細に説明するが、本発明はこれらによって何ら限定されるものではない。
【００２０】
［実施例１］
図１に模式的に示すような、装置を作製した。すなわち、まず、厚さ３ｍｍの透明アクリル板を用いて巾２０ｃｍ、高さ５ｃｍ、奥行き１０ｃｍの貯留箱１を作製し、上面のアクリル板に左右対称となるように直径２ｍｍのミスト噴霧孔を左右両端から５ｃｍ以内の範囲に９孔ずつ合計１８孔穿孔した。さらに、上面の高さが床から１５ｃｍとなるように、アクリル板からなる支持部材６を１端に接着した。
次いで、ミスト貯留箱１と同様に、厚さ３ｍｍのアクリル板を用い、巾１０ｃｍ、高さ５ｃｍ、奥行き１０ｃｍにて箱を作製し、底面にミスト発生装置２の直径に合わせ円状にくり貫いた。また、前記箱と前記貯留箱１とを接続するため、前記箱の１０ｃｍ×５ｃｍの面の１面をカットし、前記貯留箱１の２０ｃｍ×５ｃｍの１面の中央に１０ｃｍ×５ｃｍにわたりアクリル板をカットし、それぞれのカットされた面を接着した。
次いで、ミスト発生装置２としては、超音波アロマディフューザー（無印良品製、商品番号８３５９４００）を使用し、前記箱のくり貫かれた部分に接続し、隙間を輪ゴムによりふさいだ。
【００２１】
本装置を用い、通気度が３０ｃｃ／ｃｍ２・ｓｅｃで布帛表面に凹凸がある布帛４をミスト噴霧孔（１８孔）を覆うようにミスト噴霧孔の上に置いた（固定はせず。）ところ、ミストは布帛４を透過せず、布帛表面の凹凸の隙間を縫うように対流する様子が確認された。
次いで、布帛４を、通気度が１５０ｃｃ／ｃｍ２・ｓｅｃで布帛表面に凹凸がある布帛４に変えて、同様に置いた（固定せず。）ところ、凹凸の隙間の対流よりも布帛を透過するミストのほうが多いことが確認された。
次いで、布帛４を、通気度１０ｃｃ／ｃｍ２・ｓｅｃで布帛表面に凹凸のない布帛４に変えて、同様に置いた（固定せず。）ところ、布帛とアクリル板間の対流、布帛を通過するミストともに確認されなかった。
【産業上の利用可能性】
【００２２】
本発明によれば、布帛の透湿性を簡易的に評価する方法が得られ、その工業的価値は極めて大である。
【符号の説明】
【００２３】
１：ミスト貯留箱
２：ミスト発生装置
３：ミスト噴霧孔
４：布帛
５：ミスト吹き出し口
６：ミスト貯留箱を支持する支持部材
【図１】
2012102440.tif 000003
【図２】
2012102440.tif 000004